(57)【要約】【課題】部品点数を減らして簡易な構成で、ガラス扉用作動体を作動させることができる遊技機における施錠装置を提供する。【解決手段】施錠装置１７の支持体１８には外枠作動体４６及びガラス扉作動体５２が設けられている。さらに、支持体１８には外枠作動体４６の作動に伴って作動する外枠用鉤部４３，４４と、ガラス扉作動体５２の作動に伴って作動するガラス扉鉤部５３，５４が設けられている。外枠作動体４６は、上下各外枠用鉤部４３，４４を作動させる作動片４７，４８と、両作動片４７，４８を連結する連結片４９とから形成されている。そして、シリンダ錠３７によるガラス扉の解錠操作によって連結片４９が独立して作動し、当該連結片４９の作動によりガラス扉作動体５２が作動される。すると、ガラス扉鉤部５３，５４とガラス扉との係合が解除されてガラス扉が解錠される。【選択図】　　　図１
2004016546.tif 000002
【特許請求の範囲】
【請求項１】
外枠と、遊技盤が保持されて外枠の前面に開閉可能に支持される前枠と、前枠の前面に開閉可能に支持されるガラス扉とから構成される遊技機の前記前枠に取着され、前枠を外枠に施錠するとともに、ガラス扉を前枠に施錠する遊技機における施錠装置であって、前枠に固定される支持体には、前枠を外枠に施錠すべく当該外枠に二箇所で係合する一対の外枠鉤部と、ガラス扉を前枠に施錠すべく当該ガラス扉に係合するガラス扉鉤部と、各鉤部の解錠操作を行う錠部材と、錠部材による前枠の外枠からの解錠操作を外枠鉤部に伝達する外枠作動体と、錠部材によるガラス扉の解錠操作をガラス扉鉤部に伝達するガラス扉作動体とが設けられ、前記外枠作動体は、各外枠鉤部を作動させる一対の作動片と、両作動片を連結する連結片とからなり、前記錠部材によるガラス扉の解錠操作によって前記連結片を独立して作動させ、当該連結片の作動によりガラス扉作動体を作動させてガラス扉鉤部とガラス扉との係合を解除してガラス扉を解錠させることを特徴とする遊技機における施錠装置。
【請求項２】
前記ガラス扉作動体には、前枠にガラス扉が施錠された状態で、支持体に形成された係合部位に係合してガラス扉作動体の移動を規制するロック体が設けられ、前記錠部材によるガラス扉の解錠操作によって連結片を独立して作動させ、当該連結片の作動によりロック体を作動させて同ロック体と、係合部位との係合を解除してガラス扉作動体の移動の規制を解除した後、ロック体を介してガラス扉作動体を作動させてガラス扉鉤部とガラス扉との係合を解除してガラス扉を解錠させることを特徴とする請求項１に記載の遊技機における施錠装置。
【請求項３】
前記ロック体は一端部がガラス扉作動体に回動可能に軸支され、同ロック体の他端部が支持体を切り起こして形成された係合部位に係合してガラス扉作動体の移動を規制することを特徴とする請求項２に記載の遊技機における施錠装置。
【発明の詳細な説明】
【０００１】
【発明の属する技術分野】
本発明は、パチンコ遊技機等の遊技機において、遊技盤が設けられた前枠を外枠に施錠するとともに、ガラス扉を前枠に施錠するための遊技機における施錠装置に関するものである。
【０００２】
【従来の技術】
従来より、遊技機の一種であるパチンコ遊技機は、その外郭が縦長四角枠状をなす外枠と、外枠に開閉可能に支持される前枠と、前枠の内側に保持される遊技盤とから構成されている。また、前枠の前面には、四角板状をなすガラス扉が開閉可能に支持され、パチンコ遊技機前面から遊技盤が視認可能となっている。そして、前枠の一側には施錠装置が装着され、その施錠装置により外枠に対して前枠を施錠できるとともに、前枠に対してガラス扉を施錠できるようになっている。
【０００３】
この種の遊技機における施錠装置は、前枠に固定される支持体を備え、その支持体には、鍵によって回転操作可能なシリンダ錠が設けられている。また、支持体には、前記シリンダ錠の解錠操作によって作動する外枠作動体及びガラス扉作動体と、外枠作動体の作動に伴って作動する上下二体の外枠用鉤部と、ガラス扉作動体の作動に伴って作動するガラス扉鉤部が備えられている。
【０００４】
さらに、前記外枠作動体は、上下各外枠用鉤部を作動させる一対の作動片と、両作動片を連結する連結片とから形成されている。また、ガラス扉作動体と、連結片との間には連動部材が設けられ、シリンダ錠の解錠操作が連結片及び連動部材を介してガラス扉作動体に伝達されるようになっている。加えて、ガラス扉作動体には、ガラス扉の施錠時に、不正部材によるガラス扉作動体の不正操作によってガラス扉が不正に解錠されるのを防止するためのロック体が取り付けられている。
【０００５】
上記施錠装置に対し、外枠及びガラス扉には、それぞれ外枠用鉤部及びガラス扉用鉤部と係脱可能な係合部材が備えられている。そして、前枠を閉止方向に回転させると、外枠用鉤部と外枠の係合部材とが係合して外枠に対して前枠が施錠される。また、ガラス扉を閉止方向に回転させると、ガラス扉用鉤部とガラス扉の係合部材とが係合して前枠に対してガラス扉が施錠される。このとき、ロック体によりガラス扉作動体の不正移動が防止されている。
【０００６】
一方、シリンダ錠による外枠の解錠操作によって外枠用作動体が作動され、その作動により外枠用鉤部は係合部材から離脱し、外枠から前枠が解錠される。また、シリンダ錠によるガラス扉の解錠操作によって連結板が独立して作動され、その連結板の作動により連動部材が作動される。その連動部材の作動により、ロック体が作動してガラス扉作動体の不正移動を防止した状態が解除される。続けて解錠操作が行われると、シリンダ錠の解錠操作がロック体の取り付けられたガラス扉作動体に伝達される。そして、ガラス扉作動体が作動し、各ガラス扉用鉤部は係合部材から離脱して前枠からガラス扉が解錠される。
【０００７】
【発明が解決しようとする課題】
ところが、上記従来の遊技機における施錠装置においては、ガラス扉作動体を作動させ、ガラス扉を前枠から解錠するために、シリンダ錠の解錠操作を連動部材を介してガラス扉作動体に伝達しなければならない。そのため、遊技機における施錠装置の部品点数が多くなるとともに、構造が複雑であるという問題があった。本発明は、上記従来技術に存在する問題点に着目してなされたものである。その目的とするところは、部品点数を減らして簡易な構成で、ガラス扉作動体を作動させることができる遊技機における施錠装置を提供することにある。
【０００８】
【課題を解決するための手段】
上記問題点を解決するために、請求項１に記載の発明は、外枠と、遊技盤が保持されて外枠の前面に開閉可能に支持される前枠と、前枠の前面に開閉可能に支持されるガラス扉とから構成される遊技機の前記前枠に取着され、前枠を外枠に施錠するとともに、ガラス扉を前枠に施錠する遊技機における施錠装置であって、前枠に固定される支持体には、前枠を外枠に施錠すべく当該外枠に二箇所で係合する一対の外枠鉤部と、ガラス扉を前枠に施錠すべく当該ガラス扉に係合するガラス扉鉤部と、各鉤部の解錠操作を行う錠部材と、錠部材による前枠の外枠からの解錠操作を外枠鉤部に伝達する外枠作動体と、錠部材によるガラス扉の解錠操作をガラス扉鉤部に伝達するガラス扉作動体とが設けられ、前記外枠作動体は、各外枠鉤部を作動させる一対の作動片と、両作動片を連結する連結片とからなり、前記錠部材によるガラス扉の解錠操作によって前記連結片を独立して作動させ、当該連結片の作動によりガラス扉作動体を作動させてガラス扉鉤部とガラス扉との係合を解除してガラス扉を解錠させることを要旨とする。
【０００９】
請求項２に記載の発明は、請求項１に記載の遊技機における施錠装置において、前記ガラス扉作動体には、前枠にガラス扉が施錠された状態で、支持体に形成された係合部位に係合してガラス扉作動体の移動を規制するロック体が設けられ、前記錠部材によるガラス扉の解錠操作によって連結片を独立して作動させ、当該連結片の作動によりロック体を作動させて同ロック体と、係合部位との係合を解除してガラス扉作動体の移動の規制を解除した後、ロック体を介してガラス扉作動体を作動させてガラス扉鉤部とガラス扉との係合を解除してガラス扉を解錠させることを要旨とする。
【００１０】
請求項３に記載の発明は、請求項２に記載の遊技機における施錠装置において、前記ロック体は一端部がガラス扉作動体に回動可能に軸支され、同ロック体の他端部が支持体を切り起こして形成された係合部位に係合してガラス扉作動体の移動を規制することを要旨とする。
【００１１】
【発明の実施の形態】
以下、本発明を具体化した実施形態を図１〜図９に基づいて詳細に説明する。図８に示すように遊技機の一種であるパチンコ遊技機１１は、その外郭が縦長四角枠状をなす外枠１２により形成され、この外枠１２の前面には、四角枠状をなす前枠１３が開閉可能に支持されている。この前枠１３には、図示しない打球発射装置、球皿等のパチンコゲームを展開可能とする遊技構成部材が搭載できるとともに、前枠１３の内側には遊技盤１４が保持されるようになっている。この遊技盤１４の前面には、図示しない釘、入賞器具等の遊技構成部材が設けられ、背面にはプリント基板等の遊技構成部材が搭載されている。
【００１２】
前枠１３の前面には四角板状のガラス扉１５が開閉可能に支持され、パチンコ遊技機１１前面から遊技盤１４が視認可能となっている。さらに、ガラス扉１５の下方には、図示しないパチンコ球を貯留するための上皿を備えた長四角板状の上皿扉１６が前枠１３の前面下部に開閉可能に支持されている。
【００１３】
図９に示すように、前枠１３の一側には縦長四角筒状の施錠装置１７が装着され、ガラス扉１５及び上皿扉１６を前枠１３に施錠できるとともに、前枠１３を外枠１２に施錠できるようになっている。なお、以下において上下左右は、パチンコ遊技機１１を前方から見た場合の上下左右を示すものとする。
【００１４】
図１及び図２（ａ）に示すように、施錠装置１７は、亜鉛メッキ鋼板等の金属板から形成され、断面略Ｌ字状をなすとともに、上下方向に延びるように形成された支持体１８によって外郭が形成されている。この支持体１８は、縦長四角板状の固定板１８ａと固定板１８ａの左側から背面方向に折り曲げ形成されている側板１８ｂを備えている。また、固定板１８ａの右側には、細長四角板状の補強リブ１８ｃが上下に一対折り曲げ形成され、固定板１８ａが補強されている。
【００１５】
さらに、側板１８ｂの中央部には、平面視略四角板状に側板１８ｂが切り起こされることによって係合部位としての係合部１８ｄが形成されている。加えて、固定板１８ａの下側には、下方向に延びる掛止フック１８ｅが形成されている。そして、図９に示すように、この施錠装置１７は固定板１８ａの前面が前枠１３の背面の一側に当接されるとともに、ビス等の固定部材によって前枠１３に固定されている。
【００１６】
まず、前記上皿扉１６の前枠１３に対する施錠機構について詳述する。図１に示すように、側板１８ｂの下端左側には長四角形状の上皿扉作動体２０が上下動可能に設けられている。この上皿扉作動体２０の前面の上下両部には、それぞれ四角板状の上皿扉鉤部２１が前方に延びるように設けられ、各上皿扉鉤部２１の上面にはそれぞれ係合凹所２３が凹設されている。
【００１７】
この上皿扉作動体２０の上側及び下側にはそれぞれ平面視横Ｔ字状の取付板２５が右方向に延びるように折り曲げ形成されている。また、上皿扉作動体２０において、下端側の取付板２５の上側には、取付板抜止片２７が右方向に折り曲げ形成されている。一方、側板１８ｂの下端側には、上下各取付板２５に対応する位置に取付板挿入孔２６が透設され、各取付板２５を挿入できるようになっている。また、両取付板挿入孔２６の間にはプレート掛止片３３が突設されている。
【００１８】
そして、各取付板２５を各取付板挿入孔２６に挿入して上皿扉作動体２０を下方にスライドさせることにより、各取付板２５の先端が各取付板挿入孔２６の周縁に掛止して上皿扉作動体２０が支持体１８に上下動可能に取り付けられている。このとき、図２（ｂ）に示すように、両上皿扉鉤部２１は施錠装置１７の前面側へ突出している。
【００１９】
さらに、図１に示すように、四角板状をなす移動規制プレート３２に形成されたプレート掛止孔３２ａ内に前記プレート掛止片３３が挿通されている。そして、図２（ａ）に示すように、移動規制プレート３２に折り曲げ形成された第１ばね掛止片３２ｂと、前記取付板抜止片２７との間に第１コイルばね３４が設けられている。また、図１に示すように、上皿扉作動体２０の上端には、側面逆Ｌ字状の手動上皿扉解除片３５が右方向に延びるように折り曲げ形成され、この手動上皿扉解除片３５は図８に示すように前枠１３の内側に突出されている。
【００２０】
そして、これらの上皿扉鉤部２１は前枠１３から前方に突出して設けられ、上皿扉１６の閉止状態において上皿扉１６の一側に設けられた上皿扉係合金具２４に係合凹所２３が係合し、前枠１３に上皿扉１６が施錠されるようになっている。
【００２１】
次に、前枠１３の外枠１２に対する施錠機構について詳述する。図１に示すように、固定板１８ａの中央には上下一対の四角板状のシリンダ錠固定部３６が折り曲げ形成されている。シリンダ錠固定部３６には、錠部材としてのシリンダ錠３７が内側から装着され、その先端は固定板１８ａの前面側に突出した状態となっている。図２（ａ）に示すように、シリンダ錠３７の基端には、背面視略Ｖ字状のカム板３８が錠軸３９に軸着され、シリンダ錠３７の先端側から鍵（図示せず）を挿入して回動すると、カム板３８は錠軸３９を中心に鍵の回動方向と同一方向に回動するようになっている。
【００２２】
カム板３８には、舌片状の第１脚片３８ａが段差部分を介してカム板３８の中央から斜め上方に向かって突設されている。また、カム板３８には舌片状の第２脚片３８ｂがカム板３８の中央から斜め下方に向かって突設されている。この第１脚片３８ａは第２脚片３８ｂより背面方向に位置し、各脚片３８ａ、３８ｂは基端において鋭角をなしている。
【００２３】
図１に示すように、固定板１８ａの上下側にはそれぞれ四角板状の上部鉤部固定板４１及び下部鉤部固定板４２が背面方向に切り起こし形成されている。これら上部及び下部鉤部固定板４１、４２は、側板１８ｂと平行になるように支持体１８の内側に位置している。各鉤部固定板４１、４２には、それぞれ板状の上部外枠鉤部４３及び下部外枠鉤部４４がリベットでかしめ着けされることによって回動可能に軸支されている。図２（ｂ）に示すように、これら上部及び下部外枠鉤部４３，４４は施錠装置１７の背面側へ突出している。
【００２４】
図１に示すように、各外枠鉤部４３、４４の中央には、それぞれ上方に向かって開口する係合凹所４３ａ，４４ａが凹設され、各外枠鉤部４３、４４の先端は端部に向かうに従って下方に傾斜するように形成されている。そして、これらの係合凹所４３ａ，４４ａが、図９に破線に示す外枠１２の右端に設けられた上下一対の二箇所で外枠係合金具４５にそれぞれ係合されることによって、外枠１２に前枠１３が施錠されるようになっている。
【００２５】
図３（ａ）に示すように、各外枠鉤部４３、４４の基端には、縦長四角板状の外枠作動体４６の上下端がそれぞれ軸支され、同外枠作動体４６の上下動に伴って、各外枠鉤部４３、４４は回動するようになっている。この外枠作動体４６は、前記シリンダ錠３７による外枠１２の解錠操作を上部及び下部外枠鉤部４３，４４に伝達するものである。
【００２６】
前記外枠作動体４６は、図１に示すように、上部外枠鉤部４３に連結された上部作動片４７、下部外枠鉤部４４に連結された下部作動片４８及び前記上部作動片４７と下部作動片４８とを連結する連結片４９の三部材により形成されている。
【００２７】
略四角板状をなす前記上部作動片４７の上側には四角板状をなす一対の規制片４７ａが右方向に延びるように間隔をおいて折り曲げ形成されている。また、上部作動片４７の中央部の背面側の縁部には、第２ばね掛止片４７ｂが右方向に延びるように折り曲げ形成されている。さらに、図２（ａ）に示すように、上部作動片４７の下端側には、平面視横Ｔ字状をなす連結板４７ｃが折り曲げ形成されている。
【００２８】
図１に示すように、略四角板状をなす前記下部作動片４８の下側には四角板状をなす一対の規制片４８ａが右方向に延びるように間隔をおいて折り曲げ形成されている。また、図２（ａ）に示すように、下部作動片４８の上端側には、平面視横Ｔ字状をなす連結板４８ｂが折り曲げ形成されている。また、前記連結板４８ｂの下側には、第４ばね掛止片４８ｃが上方向に延びるように折り曲げ形成されている。
【００２９】
図１に示すように、略四角板状をなす前記連結片４９の上部には、側面視Ｔ字状をなす上部作動片連結孔４９ａが形成され、下部には側面視Ｔ字状をなす下部作動片連結孔４９ｂが形成されている。また、連結片４９の上側の側縁には、第２ばねフック４９ｃが右方向に延びるように折り曲げ形成されている。
【００３０】
さらに、前記第２ばねフック４９ｃの下側の側縁は、背面方向へ膨出形成され、その膨出部位に係止膨出部４９ｄが形成されている。また、連結片４９の上部には、長孔状の第１脚片係止孔４９ｅが透設され、第１脚片係止孔４９ｅの下側には、長孔状の第２脚片係止孔４９ｆが透設されている。
【００３１】
そして、上部外枠鉤部４３の側面に軸支された上部作動片４７の連結板４７ｃが連結片４９の上部作動片連結孔４９ａに挿入され、下部外枠鉤部４４の側面に軸支された下部作動片４８の連結板４８ｂが連結片４９の下部作動片連結孔４９ｂに挿入されている。さらに、連結片４９が下方へスライドされることによって、図２（ａ）に示すように、連結板４７ｃ，４８ｂの先端がそれぞれ上部作動片連結孔４９ａ，４９ｂの周縁に掛止して、連結片４９が上部及び下部作動片４７，４８に連結されて外枠作動体４６が形成されている。
【００３２】
外枠作動体４６において、第２ばね掛止片４７ｂに第２コイルばね５０の一端が掛止され、第２ばねフック４９ｃに第２コイルばね５０の他端が掛止されている。そして、第２コイルばね５０の付勢力によって、連結片４９は上方に付勢され、上部作動片４７は下方に付勢されている。さらに、図３（ａ）に示すように、第１脚片係止孔４９ｅには第１脚片３８ａの先端が挿入配置され、第２脚片係止孔４９ｆには第２脚片３８ｂの先端が挿入配置されている。
【００３３】
また、図２（ａ）に示すように、下部作動片４８において、第４ばね掛止片４８ｃに第４コイルばね５７の一端が掛止され、同第４コイルばね５７の他端が掛止フック１８ｅに掛止されている。そして、第４コイルばね５７の付勢力によって下部作動片４８は下方に付勢されている。
【００３４】
続いて、ガラス扉１５の前枠１３に対する施錠機構について詳述する。図１及び図２（ａ）に示すように、側板１８ｂの内側には長四角板状のガラス扉作動体５２が上下動可能に設けられている。図１に示すように、ガラス扉作動体５２の上下端側には、側面視横Ｔ字状の上部ガイド孔５２ａ及び下部ガイド孔５２ｂが透設されている。
【００３５】
一方、側板１８ｂの内側には各ガイド孔５２ａ，５２ｂに対応して平面視横Ｔ字状の上部取付板５１ａ及び下部取付板５１ｂが右方向に延びるように折り曲げ形成されている。ガラス扉作動体５２は、上部及び下部取付板５１ａ，５１ｂを上部及び下部ガイド孔５２ａ，５２ｂに挿入するとともに左側面を側板１８ｂの内側面に当接させ、下方にスライドさせることによって側板１８ｂに上下動可能に取着されている。
【００３６】
ガラス扉作動体５２の上下端には、側面横コ字状の上部ガラス扉鉤部５３及び下部ガラス扉鉤部５４が設けられ、図２（ｂ）に示すように、上部及び下部ガラス扉鉤部５３，５４は施錠装置１７の前面側に突出している。図１に示すように、各ガラス扉鉤部５３、５４の中央には、上方に向かって開口する係合凹所５３ａ，５４ａがそれぞれ凹設されている。
【００３７】
そして、これらの係合凹所５３ａ，５４ａはガラス扉１５に設けられた図示しないガラス扉係合金具に係脱することによって、前枠１３に対してガラス扉１５を施錠及び解錠することができる。また、シリンダ錠３７によるガラス扉１５の解錠操作がガラス扉作動体５２により上部及び下部ガラス扉鉤部５３，５４に伝達される。ガラス扉作動体５２の中央部の背面側の縁部には、ガラス扉作動体５２の内方へ向かって斜めに延びる係合溝５２ｃが形成されている。
【００３８】
図１及び図３（ｂ）に示すように、ガラス扉作動体５２の中央部右側には側面横Ｌ字状のロック体５５の一端部がリベット５６でかしめ着けされることによって回動可能に軸支されている。ロック体５５の上端には、Ｌ字状をなす第３ばね掛止片５５ａが右方向に折り曲げ形成されている。さらに、ロック体５５の背面側の縁部には背面側へ延び、前記係止膨出部４９ｄに係止可能な係止突片５５ｂが形成されている。ロック体５５の下端背面側の縁部には背面側へ突出する係合突部５５ｃが形成され、この係合突部５５ｃは前記係合部１８ｄに係合可能に形成されている。
【００３９】
図１に示すように、前記側板１８ｂの中央より上側には、側面視略Ｖ字状の規制部材６０が配設され、図３（ｂ）に示すように、この規制部材６０は分岐した一端部がリベット６１で側板１８ｂにかしめ着けされることによって回動可能に軸支されている。規制部材６０において、分岐した他端部には細長板状の解除片６０ａが前方に延設されている。そして、この解除片６０ａは固定板１８ａを貫通して前方に突出するように設けられている。
【００４０】
また、図１に示すように、解除片６０ａの基端側には、四角板状のロック板６０ｂが右方向に延びるように折り曲げ形成されている。このロック板６０ｂは、ガラス扉作動体５２の上下動に伴い、規制部材６０が回動することによって前記係合溝５２ｃに係脱可能となっている。
【００４１】
さらに、図２（ａ）及び図３（ｂ）に示すように、規制部材６０の背面側の縁部と、前記第３ばね掛止片５５ａとの上端背面側には第３コイルばね６３の両端が掛止されている。そして、この第３コイルばね６３の付勢力によって、ロック体５５の背面側がパチンコ遊技機１１の背面側へ引っ張られ、係合突部５５ｃが係合部１８ｄに係合する方向に付勢されている。
【００４２】
また、第３コイルばね６３の付勢力によって、規制部材６０は解除片６０ａが前方へ向かい、ロック板６０ｂが係合溝５２ｃに係合する方向へ回動するように付勢されている。さらに、側板１８ｂに固定された規制部材６０に第３コイルばね６３が取り付けられているため、第３コイルばね６３の付勢力によってガラス扉作動体５２はロック体５５を介して上方に付勢されている。
【００４３】
そして、図３（ｂ）に示すように、ガラス扉作動体５２が下方へ移動し、さらに、ロック板６０ｂが係合溝５２ｃに係合してガラス扉作動体５２のそれ以上の下方への移動が規制された状態を、ガラス扉１５に対する施錠装置１７の解錠状態とする。このとき、ロック体５５の係合突部５５ｃは係合部１８ｄと係合不能な位置に配置されている。
【００４４】
一方、図４に示すように、ロック板６０ｂが係合溝５２ｃから離脱してガラス扉作動体５２の上方へ移動し、ロック体５５の係合突部５５ｃが係合部１８ｄと係合可能な位置に配置された状態を、ガラス扉１５に対する施錠装置１７の施錠状態とする。
【００４５】
次に、施錠装置１７の使用方法を作用とともに説明する。
まず、施錠装置１７を前枠１３に装着するには、各上皿扉鉤部２１、手動上皿扉解除片３５、シリンダ錠３７の先端、各ガラス扉鉤部５３、５４及び解除片６０ａを前枠１３に形成された図示しない挿通孔に挿通させ、固定板１８ａの前面を前枠１３の四角枠状の縦枠の背面に当接させる。そして、前枠１３に固定板１８ａをねじ等で固定する。このとき、図８に示すように各上皿扉鉤部２１、手動上皿扉解除片３５、シリンダ錠３７の先端、各ガラス扉鉤部５３、５４及び解除片６０ａは前枠１３の前面に突出するようになっている。
【００４６】
次に、前枠１３に対して上皿扉１６を施錠するには、上皿扉１６を閉止方向に回動させる。すると、各上皿扉鉤部２１の先端が上皿扉係合金具２４に摺動され、各上皿扉鉤部２１は第１コイルばね３４の付勢力に抗して下方に移動する。そして、各上皿扉鉤部２１が上皿扉係合金具２４に係合するとともに、第１コイルばね３４の付勢力によって各上皿扉鉤部２１が上方に移動復帰される。第１コイルばね３４の付勢力によって各上皿扉鉤部２１がこの状態で維持されることによって、前枠１３に対する上皿扉１６の施錠が維持されている。
【００４７】
続いて、上皿扉１６を解錠するには、ガラス扉１５を解錠して手動上皿扉解除片３５を第１コイルばね３４の付勢力に抗して、手動で下方に押し下げる。すると、各上皿扉鉤部２１と上皿扉係合金具２４の係合が解除され、上皿扉１６を解錠することができる。
【００４８】
次に、開放状態の前枠１３を外枠１２に施錠するには、前枠１３を閉止方向に回動させる。すると、上部外枠鉤部４３及び下部外枠鉤部４４は、外枠係合金具４５によって先端が下がる方向に回動する。このとき、上部外枠鉤部４３に連結された上部作動片４７と、下部外枠鉤部４４に連結された下部作動片４８とはそれぞれ連結片４９に対して独立して取り付けられている。
【００４９】
そのため、連結板４７ｃが上部作動片連結孔４９ａに案内されるとともに、連結板４８ｂが下部作動片連結孔４９ｂに案内されて上部及び下部作動片４７，４８がそれぞれ連結片４９に沿って上方へスライド移動する。このとき、上部及び下部作動片４７，４８はそれぞれ規制片４７ａ，４８ａの上部及び下部鉤部固定板４１，４２に対する当接により、移動量が規制されている。また、上部及び下部作動片４７，４８の上方への移動に伴い第２及び第４コイルばね５０，５７が伸張する。
【００５０】
そして、係合凹所４３ａ，４４ａが外枠係合金具４５に係合すると、伸張した第２及び第４コイルばね５０，５７の下方への付勢力によって上部及び下部作動片４７，４８が下方へ移動され、各外枠鉤部４３、４４が水平状態に復帰される。そして、第２及び第４コイルばね５０，５７の付勢力によって、係合凹所４３ａ，４４ａが外枠係合金具４５に係合した状態が維持され、外枠１２に対する前枠１３の施錠が維持される。
【００５１】
続いて、外枠１２から前枠１３を解錠するには、シリンダ錠３７に鍵４０を差し込み、前方から見て時計方向に回転する。すると、図７に示すように、第２脚片３８ｂの先端は第２脚片係止孔４９ｆの内周縁に係止し、第２脚片３８ｂの回転によって連結片４９が押し上げられる。連結片４９の押し上げと同時に上部作動片連結孔４９ａ及び下部作動片連結孔４９ｂの内縁が連結板４７ｃ，４８ｂに当接し、上部作動片４７及び下部作動片４８が押し上げられる。このとき、外枠作動体４６は第４コイルばね５７の付勢力に抗して押し上げられる。
【００５２】
すると、各外枠鉤部４３、４４の基端側は上方に向かって回転されると同時に、先端側は下方に向かって回転される。これに伴って、係合凹所４３ａ，４４ａと外枠係合金具４５の係合が解除され、外枠１２から前枠１３が解錠される。解錠後、鍵４０の回転を解除すると、伸張した第４コイルばね５７の付勢力により外枠作動体４６が下方へ移動され、各外枠鉤部４３、４４が水平状態に復帰される。
【００５３】
次に、開放状態のガラス扉１５を前枠１３に施錠するには、図３（ａ）に示すように、施錠装置１７がガラス扉１５に対して解錠状態にあるとき、ガラス扉１５を閉止方向に回動させる。すると、ガラス扉１５の背面が解除片６０ａに当接するとともに、解除片６０ａは、背面側へ押し出され、規制部材６０は第３コイルばね６３の付勢力に抗して背面方向に回動し、第３コイルばね６３は伸張される。そして、図４に示すように、ロック板６０ｂと係合溝５２ｃとの係合が解除されると、伸張した第３コイルばね６３の付勢力によってガラス扉作動体５２は上部及び下部取付板５１ａ，５１ｂに上部及び下部ガイド孔５２ａ，５２ｂが案内されながら上方に移動される。
【００５４】
すると、各ガラス扉鉤部５３、５４が上方へ移動し、ガラス扉係合金具（図示せず）に係合する。さらに、ロック体５５が第３コイルばね６３の付勢力によって引っ張られて背面側へ回転し、係合突部５５ｃが係合部１８ｄに係合可能な位置に配置される。そして、施錠装置１７がガラス扉１５に対して施錠状態となり、ガラス扉１５が前枠１３に施錠される。この施錠状態でガラス扉作動体５２を下方へ移動させる不正操作が行われても、係合突部５５ｃの係合部１８ｄに対する係合によりガラス扉作動体５２の下方への移動が規制される。
【００５５】
続いて、前枠１３からガラス扉１５を解錠するには、施錠装置１７がガラス扉１５に対して施錠状態にあるとき、シリンダ錠３７に鍵４０を差し込み、前方から見て反時計方向に回転する。すると、図５に示すように、第１脚片係止孔４９ｅに係止した第１脚片３８ａによって連結片４９が押し下げられ、さらに、係止膨出部４９ｄが係止突片５５ｂに係止してロック体５５が押し下げられる。
【００５６】
このとき、連結片４９は上部及び下部作動片４７，４８とは独立して移動するため、上部及び下部外枠鉤部４３，４４が外枠係合金具４５に係合されている場合は、その係合が解除されない。そして、ロック体５５の他端側は第３コイルばね６３の付勢力に抗してパチンコ遊技機１１の前面側へ回動し、係合突部５５ｃと係合部１８ｄとの係合が解除され、ガラス扉作動体５２の下方への移動が規制された状態が解除される。
【００５７】
さらに鍵４０を回転させると、図６に示すように、第１脚片３８ａによって、第２コイルばね５０の付勢力に抗して連結片４９が押し下げられ、係止膨出部４９ｄによってロック体５５が押し下げられる。すると、第３コイルばね６３の付勢力に抗してロック体５５が取り付けられたガラス扉作動体５２が押し下げられる。そして、各ガラス扉鉤部５３、５４とガラス扉係合金具の係合が解除される。
【００５８】
また、ガラス扉作動体５２が押し下げられることにより、図３（ｂ）に示すように、係合溝５２ｃがロック板６０ｂに近づき、さらに、伸張された第３コイルばね６３により規制部材６０が前面側へ引っ張られ、解除片６０ａが前方へ突出する方向へ回動される。すると、ロック板６０ｂが係合溝５２ｃに落ち込み係合し、ガラス扉作動体５２の上下動が規制される。このとき、第２コイルばね５０が伸張しているため、連結片４９は第２コイルばね５０の付勢力により引き上げられ、施錠装置１７は施錠状態となる。
【００５９】
実施形態の施錠装置１７によれば、以下のような特徴を得ることができる。
（１）外枠作動体４６を三部材で形成し、そのうちの連結片４９の係止膨出部４９ｄを、ガラス扉作動体５２に取り付けられたロック体５５の係止突片５５ｂと係止可能に形成した。そのため、鍵４０によって連結片４９を作動させることにより、ガラス扉作動体５２を作動させることができ、ガラス扉作動体５２の解錠操作を行うことができる。従って、鍵４０によってガラス扉作動体５２を作動させるために、連動部材を別途必要としていた従来と異なり、施錠装置１７の部品点数を減らすことができるとともに、構成を簡易化することができる。
【００６０】
（２）ガラス扉１５の解錠時には、連結片４９の作動によりガラス扉作動体５２を作動させ、前枠１３の解錠時には、連結片４９の作動により外枠作動体４６を作動させることができる。そのため、連結片４９を鍵４０により作動させることができれば、施錠装置１７を作動させることができる。従って、各パチンコ遊技機１１のメーカーによって前枠１３へのシリンダ錠３７の挿通位置が異なっていても、シリンダ錠３７の固定板１８ａに対する取付位置と、第１及び第２脚片係止孔４９ｅ，４９ｆの位置を変更することにより、連結片４９を作動させて施錠装置１７を作動させることができる。即ち、施錠装置１７を各メーカーのパチンコ遊技機１１に容易に対応させて使用することができる。
【００６１】
（３）外枠作動体４６を三部材で形成したため、上部作動片４７及び下部作動片４８はそれぞれ独立して作動する。従って、上部作動片４７及び下部作動片４８をそれぞれ作動させなければ外枠係合金具４５に対する上部及び下部外枠鉤部４３，４４の係合を同時に解除することができず、外枠１２に対する前枠１３の不正解錠を行いにくくすることができる。
【００６２】
（４）ロック板６０ｂの係合溝５２ｃに対する係合により、ガラス扉作動体５２の移動を規制してガラス扉１５の解錠状態を維持することができる。そのため、前枠１３に対するガラス扉１５の開放状態でガラス扉作動体５２が移動してしまい、ガラス扉１５を閉止方向へ回転させたとき、ガラス扉１５を前枠１３に施錠できなくなる不具合を防止することができる。
【００６３】
（５）ロック体５５は、連結片４９の動作をガラス扉作動体５２に伝達して同ガラス扉作動体５２を作動させる機能と、係合部１８ｄに係合してガラス扉作動体５２の移動を規制する機能とを発揮させることができる。従って、各機能を別々の部材で発揮させる場合と比較して、施錠装置１７を安定して作動させることができるとともに、施錠装置１７の部品点数を少なくして構造を簡易化することができる。
【００６４】
（６）ロック体５５の係止突片５５ｂと、連結片４９の係止膨出部４９ｄとの係止により、連結片４９の動作をロック体５５に正確に伝達することができ、ガラス扉作動体５２を確実に移動させることができる。
【００６５】
（７）係合突部５５ｃが係合する係合部１８ｄを側板１８ｂに形成した。そのため、係合突部５５ｃの係合によるガラス扉作動体５２の移動を確実に規制して、ガラス扉１５の不正な開放を防止することができる。
【００６６】
（８）係合部１８ｄは側板１８ｂを切り起こして形成されている。そのため、係合部１８ｄを別部材で側板１８ｂに設ける場合と比較して、ガラス扉作動体５２の移動を規制する機構を施錠装置１７に容易に形成することができる。
【００６７】
なお、上記実施形態は以下のように変更してもよい。
・　実施形態では、ロック板６０ｂと係合溝５２ｃとの係合により解錠状態におけるガラス扉作動体５２の移動を規制したが、規制部材６０に係合溝を形成し、ガラス扉作動体５２にロック板を形成してもよい。
【００６８】
・　実施形態では、側板１８ｂを切り起こして係合部１８ｄを形成したが、側板１８ｂに板材を溶接して係合部１８ｄを形成してもよい。
・　実施形態では、ロック体５５の係合突部５５ｃを側板１８ｂの係合部１８ｄに係合させてガラス扉作動体５２の移動を規制したが、ロック体５５に左方向に延びる係合突部５５ｃを形成する。一方、側板１８ｂに前記係合突部５５ｃが係合可能な係合凹溝を形成する。そして、前枠１３に対するガラス扉１５の施錠状態では、係合突部５５ｃが係合凹溝に係合してガラス扉作動体５２の移動を規制してもよい。
【００６９】
ガラス扉１５を前枠１３から解錠するには、鍵４０を回転させて解錠操作を行うと、連結片４９によりロック体５５が回動される。すると、係合凹溝に対する係合突部５５ｃの係合が解除され、ガラス扉作動体５２が作動される。
【００７０】
・　実施形態では、ガラス扉作動体５２に取り付けられたロック体５５を介してガラス扉作動体５２を作動させたが、連結片４９からガラス扉作動体５２に係止可能な係止部を延設し、連結片４９の作動によりガラス扉作動体５２を直接的に作動させてもよい。
【００７１】
・　実施形態では、シリンダ錠３７を固定板１８ａの上側に形成し、連結片４９の上側に第１及び第２脚片係止孔４９ｅ，４９ｆを形成したが、シリンダ錠３７の固定板１８ａに対する取付位置を変更してもよい。このとき、シリンダ錠３７のカム板３８における第１及び第２脚片３８ａ，３８ｂに対応させて第１及び第２脚片係止孔４９ｅ，４９ｆの位置を変更する。
【００７２】
次に上記実施形態及び別例から把握できる技術的思想について、それらの効果とともに以下に追記する。
（１）前記支持体には、規制部材が回動可能に軸支され、同規制部材はガラス扉の解錠状態でガラス扉作動体と係合して同ガラス扉作動体の移動を規制することを特徴とする請求項１〜請求項３のいずれか一項に記載の遊技機における施錠装置。このように構成した場合、前枠に対するガラス扉の開放状態で、ガラス扉作動体の移動を防止することができるため、ガラス扉作動体が移動してしまい、ガラス扉を閉止方向へ回転させたとき、ガラス扉を前枠に施錠できなくなる不具合を防止することができる。
【００７３】
（２）ロック体に形成された係止突片と、連結片に形成された係止膨出部との係止によって、連結片によりロック体を介してガラス扉作動体を移動させることを特徴とする請求項２又は請求項３に記載の遊技機における施錠装置。このように構成した場合、係止突片と係止膨出部との間の係止関係により、ロック体を介してガラス扉作動体を正確に作動させることができる。
【００７４】
【発明の効果】
以上、詳述したように、請求項１に記載の発明によれば、部品点数を減らして簡易な構成で、ガラス扉用作動体を作動させることができる。
【００７５】
請求項２に記載の発明によれば、請求項１に記載の発明の効果に加え、ロック体はガラス扉作動体を作動させる機能と、ガラス扉作動体の移動を規制する機能とを発揮させることができる。従って、各機能を別々の部材で発揮させる場合と比較して、施錠装置を安定して作動させることができるとともに、部品点数を少なくすることができる。
【００７６】
請求項３に記載の発明によれば、請求項２に記載の発明の効果に加え、支持体の係合部位と、ロック体との係合によるガラス扉作動体の移動を確実に規制して、ガラス扉の不正な開放を防止することができる。
【図面の簡単な説明】
【図１】実施形態の施錠装置を示す分解斜視図。
【図２】（ａ）は施錠装置を示す背面図、（ｂ）は施錠装置を示す側面図。
【図３】（ａ）は施錠装置を示す側面図、（ｂ）は施錠装置を示す部分破断側面図。
【図４】ガラス扉に対する施錠状態を示す部分破断側面図。
【図５】ロック体と係合部との係合解除状態を示す側面図。
【図６】ガラス扉に対する解錠状態を示す側面図。
【図７】外枠に対する解錠状態を示す側面図。
【図８】ガラス扉及び上皿扉が解錠された前枠を示す斜視図。
【図９】前枠が解錠されたパチンコ遊技機を示す斜視図。
【符号の説明】
１１…遊技機としてのパチンコ遊技機、１２…外枠、１３…前枠、１４…遊技盤、１５…ガラス扉、１７…施錠装置、１８…支持体、１８ｄ…係合部位としての係合部、３７…錠部材としてのシリンダ錠、４３，４４…上部及び下部外枠鉤部、４６…外枠作動体、４７…上部作動片、４８…下部作動片、４９…連結片、５２…ガラス扉作動体、５３，５４…上部及び下部ガラス扉鉤部、５５…ロック体。
【図１】
2004016546.tif 000003
【図２】
2004016546.tif 000004
【図３】
2004016546.tif 000005
【図４】
2004016546.tif 000006
【図５】
2004016546.tif 000007
【図６】
2004016546.tif 000008
【図７】
2004016546.tif 000009
【図８】
2004016546.tif 000010
【図９】
2004016546.tif 000011